(57)【要約】【課題】  送金機能が搭載されたメッセンジャーにおいて、メッセージ内容を認識して送金機能を提供する方法およびシステムを提供する。【解決手段】  送金処理方法は、電子機器が実行するメッセンジャーのチャットルームに入力中のメッセージから金額を認識する第１認識工程、前記メッセージから前記金額が認識されると、前記チャットルームに送金機能を呼び出す第１呼び出し工程、および前記電子機器のユーザの送金要請にしたがい、前記チャットルームの会話相手を送金対象者として前記金額に対する送金トランザクションを処理する第１処理工程を含む。【選択図】      図６
2019185767.tif 000002
【特許請求の範囲】
【請求項１】
電子機器が実行する送金処理方法であって、
前記電子機器が実行するメッセンジャーのチャットルームに入力中のメッセージから金額を認識する第１認識工程、
前記メッセージから前記金額が認識されると、前記チャットルームに送金機能を呼び出す第１呼び出し工程、および
前記電子機器のユーザの送金要請にしたがい、前記チャットルームの会話相手を送金対象者として前記金額に対する送金トランザクションを処理する第１処理工程
を含む、送金処理方法。
【請求項２】
前記第１認識工程は、
前記チャットルームの入力ウィンドウに入力中のメッセージ内容の文脈を把握することによって前記金額を認識する、
請求項１に記載の送金処理方法。
【請求項３】
前記第１認識工程は、
前記チャットルームの入力ウィンドウに入力中のメッセージから貨幣単位を示す特定の記号やキーワードを認識することによって前記金額を認識する、
請求項１に記載の送金処理方法。
【請求項４】
前記第１呼び出し工程は、
前記送金対象者に前記金額を伝達する送金トランザクションのためのユーザインタフェース、および前記送金対象者に前記金額を要請する送金要請トランザクションのためのユーザインタフェースを活性化させる、
請求項１に記載の送金処理方法。
【請求項５】
前記第１呼び出し工程は、
前記チャットルームがグループチャットルームの場合、前記チャットルームに含まれた会話相手のうちから少なくとも１人を前記送金対象者として選択するための会話相手リストを活性化させる、
請求項４に記載の送金処理方法。
【請求項６】
前記第１処理工程は、
前記チャットルームが個別チャットルームの場合、前記チャットルームの会話相手を前記送金対象者として特定し、前記特定された送金対象者に前記金額を伝達する送金トランザクションまたは前記金額を要請する送金要請トランザクションを処理する、
請求項１に記載の送金処理方法。
【請求項７】
前記第１処理工程は、
前記チャットルームがグループチャットルームの場合、前記チャットルームに含まれた会話相手のうちから少なくとも１人が前記送金対象者として選択され、前記選択された送金対象者に前記金額を伝達する送金トランザクションまたは前記金額を要請する送金要請トランザクションを処理する、
請求項１に記載の送金処理方法。
【請求項８】
前記送金処理方法は、
前記電子機器のユーザが前記チャットルームに含まれたメッセージのうちから特定のメッセージを選択することに応答し、前記特定のメッセージに数字が含まれていると、前記チャットルームに送金機能を呼び出す第２呼び出し工程、および
前記電子機器のユーザの送金要請にしたがい、前記特定のメッセージを送った会話相手を送金対象者として前記特定のメッセージに含まれた数字を金額とする送金トランザクションを処理する第２処理工程
をさらに含む、請求項１に記載の送金処理方法。
【請求項９】
前記送金処理方法は、
前記チャットルームに含まれたメッセージに数字が含まれている場合、該当の数字にリンクを適用し、リンクが適用された数字を送金のための金額として認識する第２認識工程
をさらに含む、請求項８に記載の送金処理方法。
【請求項１０】
前記送金処理方法は、
前記電子機器のユーザが前記チャットルームに含まれたメッセージのうちから特定のメッセージを選択することに応答し、前記チャットルームに送金機能を呼び出す第３呼び出し工程、および
前記電子機器のユーザの送金要請にしたがい、前記特定のメッセージを送った会話相手を送金対象者とする送金トランザクションを処理する第３処理工程
をさらに含む、請求項１に記載の送金処理方法。
【請求項１１】
請求項１〜１０のうちのいずれか一項に記載の送金処理方法をコンピュータに実行させるためのプログラム。
【請求項１２】
電子機器において、
前記電子機器が実行するメッセンジャーのチャットルームに入力中のメッセージから金額を認識する認識手段、
前記メッセージから前記金額が認識されると、前記チャットルームに送金機能を呼び出す呼び出し手段、および
前記電子機器のユーザの送金要請にしたがい、前記チャットルームの会話相手を送金対象者として前記金額に対する送金トランザクションを処理する送金処理手段
を備える、電子機器。
【請求項１３】
前記認識手段は、
前記チャットルームの入力ウィンドウに入力中のメッセージ内容の文脈を把握することによって前記金額を認識する、
請求項１２に記載の電子機器。
【請求項１４】
前記認識手段は、
前記チャットルームの入力ウィンドウに入力中のメッセージから貨幣単位を示す特定の記号やキーワードを認識することによって前記金額を認識する、
請求項１２に記載の電子機器。
【請求項１５】
前記呼び出し手段は、
前記送金対象者に前記金額を伝達する送金トランザクションのためのユーザインタフェース、および前記送金対象者に前記金額を要請する送金要請トランザクションのためのユーザインタフェースを活性化させる、
請求項１２に記載の電子機器。
【請求項１６】
前記呼び出し手段は、
前記チャットルームがグループチャットルームの場合、前記チャットルームに含まれた会話相手のうちから少なくとも１人を前記送金対象者として選択するための会話相手リストを活性化させる、
請求項１５に記載の電子機器。
【請求項１７】
前記送金処理手段は、
前記チャットルームが個別チャットルームの場合、前記チャットルームの会話相手を前記送金対象者として特定し、前記特定された送金対象者に前記金額を伝達する送金トランザクションまたは前記金額を要請する送金要請トランザクションを処理する、
請求項１２に記載の電子機器。
【請求項１８】
前記送金処理手段は、
前記チャットルームがグループチャットルームの場合、前記チャットルームに含まれた会話相手のうちから少なくとも１人が前記送金対象者として選択され、前記選択された送金対象者に前記金額を伝達する送金トランザクションまたは前記金額を要請する送金要請トランザクションを処理する、
請求項１２に記載の電子機器。
【請求項１９】
前記呼び出し手段は、
前記電子機器のユーザが前記チャットルームに含まれたメッセージのうちから特定のメッセージを選択することに応答し、前記特定のメッセージに数字が含まれていると、前記チャットルームに送金機能を呼び出し、
前記送金処理手段は、
前記少なくとも１つのプロセッサにより、前記電子機器のユーザの送金要請にしたがい、前記特定のメッセージを送った会話相手を送金対象者とし、前記特定のメッセージに含まれた数字を金額とする送金トランザクションを処理する、
請求項１２に記載の電子機器。
【請求項２０】
前記認識手段は、
前記チャットルームに含まれたメッセージに数字が含まれている場合、該当の数字にリンクを適用し、リンクが適用された数字を送金のための金額として認識する、
請求項１９に記載の電子機器。
【発明の詳細な説明】
【技術分野】
【０００１】
以下の説明は、メッセンジャー上で送金機能を提供する技術に関する。
【背景技術】
【０００２】
一般的なコミュニケーションツールであるインスタントメッセンジャーは、メッセージやデータをリアルタイムで送受信することのできるソフトウェアであり、ユーザがメッセンジャー上に会話の相手を登録すると、リストに登録された相手とリアルタイムでメッセージをやり取りすることができる。
【０００３】
このようなメッセンジャーでは、ユーザ同士が、写真、動画、ファイル、連絡先、位置、スケジュールなどのような多様な情報をチャットルームで共有できるようにする機能を支援しており、このような機能の他にも、最近では、メッセンジャー上のユーザ同士が、希望する金額を送金するための送金機能も支援している。
【０００４】
例えば、特許文献１（公開日２００２年３月２８日）には、インスタントメッセンジャー上で送金または請求のような金融取引（決済）を相手方と行うことができる、インスタントメッセンジャーを利用した金融取引システムおよびその方法が開示されている。
【先行技術文献】
【特許文献】
【０００５】
【特許文献１】韓国公開特許第１０−２００２−００２３３７２号公報
【発明の概要】
【発明が解決しようとする課題】
【０００６】
送金機能が搭載されたメッセンジャーにおいて、チャットルームに送信するメッセージを入力するときにメッセージ内容に金額が含まれている場合、送金機能を自動提供することができる方法およびシステムを提供する。
【０００７】
送金機能が搭載されたメッセンジャーにおいて、チャットルーム内のメッセージ内容に数字が含まれている場合、メッセージに含まれた数字を金額として認識し、該当のメッセージの発送者に直ぐに送金することができる方法およびシステムを提供する。
【課題を解決するための手段】
【０００８】
電子機器が実行する送金処理方法であって、前記電子機器が実行するメッセンジャーのチャットルームに入力中のメッセージから金額を認識する第１認識工程、前記メッセージから前記金額が認識されると、前記チャットルームに送金機能を呼び出す第１呼び出し工程、および前記電子機器のユーザの送金要請にしたがい、前記チャットルームの会話相手を送金対象者として前記金額に対する送金トランザクションを処理する第１処理工程を含む、送金処理方法を提供する。
【０００９】
電子機器において、前記電子機器が実行するメッセンジャーのチャットルームに入力中のメッセージから金額を認識する認識手段、前記メッセージから前記金額が認識されると、前記チャットルームに送金機能を呼び出す呼び出し手段、および前記電子機器のユーザの送金要請にしたがい、前記チャットルームの会話相手を送金対象者として前記金額に対する送金トランザクションを処理する送金処理手段を備える、電子機器を提供する。
【発明の効果】
【００１０】
本発明の実施形態によると、送金機能が搭載されたメッセンジャーにおいて、チャットルームに送信するメッセージを入力するときにメッセージ内容に金額が含まれている場合、直ぐに送金機能を提供することにより、送金処理のための多くの段階を省略し、ユーザに利便性を提供することができる。
【００１１】
本発明の実施形態によると、送金機能が搭載されたメッセンジャーにおいて、チャットルーム内のメッセージ内容に数字が含まれている場合、メッセージに含まれた数字を金額として自動認識し、該当のメッセージの発送者に直ぐに送金できるようにする機能を提供することにより、送金処理のための多くの段階を省略し、ユーザに利便性を提供することができる。
【図面の簡単な説明】
【００１２】
【図１】本発明の一実施形態における、ネットワーク環境の例を示した図である。
【図２】本発明の一実施形態における、電子機器およびサーバの内部構成を説明するためのブロック図である。
【図３】本発明の一実施形態における、メッセンジャーを利用した送金処理システムを示した図である。
【図４】本発明の一実施形態における、ユーザ同士の送金処理過程を説明するための例示図である。
【図５】本発明の一実施形態における、電子機器のプロセッサが含むことのできる構成要素の例を示したブロック図である。
【図６】本発明の一実施形態における、電子機器が実行することのできる方法の例を示したフローチャートである。
【図７】本発明の一実施形態における、送金処理過程の一例を説明するための例示図である。
【図８】本発明の一実施形態における、送金処理過程の一例を説明するための例示図である。
【図９】本発明の一実施形態における、送金処理過程の一例を説明するための例示図である。
【図１０】本発明の一実施形態における、電子機器が実行することのできる方法の他の例を示したフローチャートである。
【図１１】本発明の一実施形態における、送金処理過程の他の例を説明するための例示図である。
【図１２】発明の一実施形態における、送金処理過程の他の例を説明するための例示図である。
【発明を実施するための形態】
【００１３】
電子機器が実行する送金処理方法であって、前記電子機器が実行するメッセンジャーのチャットルームに入力中のメッセージから金額を認識する第１認識工程、前記メッセージから前記金額が認識されると、前記チャットルームに送金機能を呼び出す第１呼び出し工程、および前記電子機器のユーザの送金要請にしたがい、前記チャットルームの会話相手を送金対象者として前記金額に対する送金トランザクションを処理する第１処理工程を含む、送金処理方法を提供する。
【００１４】
一側面によると、前記第１認識工程は、前記チャットルームの入力ウィンドウに入力中のメッセージ内容の文脈を把握することによって前記金額を認識してよい。
【００１５】
他の側面によると、前記第１認識工程は、前記チャットルームの入力ウィンドウに入力中のメッセージから貨幣単位を示す特定の記号やキーワードを認識することによって前記金額を認識してよい。
【００１６】
また他の側面によると、前記第１呼び出し工程は、前記送金対象者に前記金額を伝達する送金トランザクションのためのユーザインタフェース、および前記送金対象者に前記金額を要請する送金要請トランザクションのためのユーザインタフェースを活性化させてよい。
【００１７】
また他の側面によると、前記第１呼び出し工程は、前記チャットルームがグループチャットルームの場合、前記チャットルームに含まれた会話相手のうちの少なくとも１人を前記送金対象者として選択するための会話相手リストを活性化させてよい。
【００１８】
また他の側面によると、前記第１処理工程は、前記チャットルームが個別チャットルームの場合、前記チャットルームの会話相手を前記送金対象者として特定し、前記特定された送金対象者に前記金額を伝達する送金トランザクションまたは前記金額を要請する送金要請トランザクションを処理してよい。
【００１９】
また他の側面によると、前記第１処理工程は、前記チャットルームがグループチャットルームの場合、前記チャットルームに含まれた会話相手のうちから少なくとも１人が前記送金対象者として選択され、前記選択された送金対象者に前記金額を伝達する送金トランザクションまたは前記金額を要請する送金要請トランザクションを処理してよい。
【００２０】
また他の側面によると、前記送金処理方法は、前記電子機器のユーザが前記チャットルームに含まれたメッセージのうちから特定のメッセージを選択することに応答し、前記特定のメッセージに数字が含まれていると、前記チャットルームに送金機能を呼び出す第２呼び出し工程、および前記電子機器のユーザの送金要請にしたがい、前記特定のメッセージを送信した会話相手を送金対象者とし、前記特定のメッセージに含まれた数字を金額とする送金トランザクションを処理する第２処理工程をさらに含んでよい。
【００２１】
また他の側面によると、前記送金処理方法は、前記チャットルームに含まれたメッセージに数字が含まれている場合、該当の数字にリンクを適用し、リンクが適用された数字を送金のための金額として認識する第２認識工程をさらに含んでよい。
【００２２】
さらに他の側面によると、前記送金処理方法は、前記電子機器のユーザが前記チャットルームに含まれたメッセージのうちから特定のメッセージを選択することに応答し、前記チャットルームに送金機能を呼び出す第３呼び出し工程、および前記電子機器のユーザの送金要請にしたがい、前記特定のメッセージを送った会話相手を送金対象者とする送金トランザクションを処理する第３処理工程をさらに含んでよい。
【００２３】
前記送金処理方法をコンピュータに実行させるためのプログラムを提供する。
【００２４】
電子機器において、前記電子機器が実行するメッセンジャーのチャットルームに入力中のメッセージから金額を認識する認識手段、前記メッセージから前記金額が認識されると、前記チャットルームに送金機能を呼び出す呼び出し手段、および前記電子機器のユーザの送金要請にしたがい、前記チャットルームの会話相手を送金対象者として前記金額に対する送金トランザクションを処理する送金処理手段を備える、電子機器を提供する。
＜発明の詳細＞
【００２５】
以下、本発明の実施形態について、添付の図面を参照しながら詳細に説明する。
【００２６】
本発明の実施形態は、メッセンジャーで送金機能を提供する技術に関する。本明細書で具体的に開示される事項などを含む実施形態は、送金機能が搭載されたメッセンジャーにおいてメッセージ内容を認識して送金機能を自動提供することができ、これによって利便性、効率性、時間短縮、費用節減などの側面において相当な長所を達成することができる。
【００２７】
図１は、本発明の一実施形態における、ネットワーク環境の例を示した図である。図１のネットワーク環境は、複数の電子機器１１０、１２０、１３０、１４０、複数のサーバ１５０、１６０、およびネットワーク１７０を含む例を示している。このような図１は、発明の説明のための一例に過ぎず、電子機器の数やサーバの数が図１のように限定されることはない。
【００２８】
複数の電子機器１１０、１２０、１３０、１４０は、コンピュータシステムによって実現される固定端末や移動端末であってよい。複数の電子機器１１０、１２０、１３０、１４０の例としては、スマートフォン、携帯電話、ナビゲーション、ＰＣ（ｐｅｒｓｏｎａｌ  ｃｏｍｐｕｔｅｒ）、ノート型ＰＣ、デジタル放送用端末、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）、タブレット、ゲームコンソール、ウェアラブルデバイス、ＩｏＴ（ｉｎｔｅｒｎｅｔ  ｏｆ  ｔｈｉｎｇｓ）デバイス、ＶＲ（ｖｉｒｔｕａｌ  ｒｅａｌｉｔｙ）デバイス、ＡＲ（ａｕｇｍｅｎｔｅｄ  ｒｅａｌｉｔｙ）デバイスなどがある。一例として、図１では、電子機器１１０の例としてスマートフォンを示しているが、本発明の実施形態において、電子機器１１０は、実質的に無線または有線通信方式を利用し、ネットワーク１７０を介して他の電子機器１２０、１３０、１４０および／またはサーバ１５０、１６０と通信することのできる多様な物理的なコンピュータシステムのうちの１つを意味してよい。
【００２９】
通信方式が限定されることはなく、ネットワーク１７０が含むことのできる通信網（一例として、移動通信網、有線インターネット、無線インターネット、放送網、衛星網など）を利用する通信方式だけではなく、機器間の近距離無線通信が含まれてよい。例えば、ネットワーク１７０は、ＰＡＮ（ｐｅｒｓｏｎａｌ  ａｒｅａ  ｎｅｔｗｏｒｋ）、ＬＡＮ（ｌｏｃａｌ  ａｒｅａ  ｎｅｔｗｏｒｋ）、ＣＡＮ（ｃａｍｐｕｓ  ａｒｅａ  ｎｅｔｗｏｒｋ）、ＭＡＮ（ｍｅｔｒｏｐｏｌｉｔａｎ  ａｒｅａ  ｎｅｔｗｏｒｋ）、ＷＡＮ（ｗｉｄｅ  ａｒｅａ  ｎｅｔｗｏｒｋ）、ＢＢＮ（ｂｒｏａｄｂａｎｄ  ｎｅｔｗｏｒｋ）、インターネットなどのネットワークのうちの１つ以上の任意のネットワークを含んでよい。さらに、ネットワーク１７０は、バスネットワーク、スターネットワーク、リングネットワーク、メッシュネットワーク、スター−バスネットワーク、ツリーまたは階層的ネットワークなどを含むネットワークトポロジのうちの任意の１つ以上を含んでもよいが、これらに限定されることはない。
【００３０】
サーバ１５０、１６０それぞれは、複数の電子機器１１０、１２０、１３０、１４０とネットワーク１７０を介して通信して命令、コード、ファイル、コンテンツ、サービスなどを提供する１つ以上のコンピュータ装置によって実現されてよい。例えば、サーバ１５０は、ネットワーク１７０を介して接続した複数の電子機器１１０、１２０、１３０、１４０に第１サービスを提供するシステムであってよく、サーバ１６０も、ネットワーク１７０を介して接続した複数の電子機器１１０、１２０、１３０、１４０に第２サービスを提供するシステムであってよい。より具体的な例として、サーバ１５０は、複数の電子機器１１０、１２０、１３０、１４０においてインストールされて実行されるコンピュータプログラムであるアプリケーションを通じ、該当のアプリケーションが目的とするサービス（一例として、インスタントメッセージサービス（Ｉｎｓｔａｎｔ  Ｍｅｓｓａｇｅ  Ｓｅｒｖｉｃｅ：ＩＭＳ）など）を第１サービスとして複数の電子機器１１０、１２０、１３０、１４０に提供してよい。他の例として、サーバ１６０は、上述したアプリケーションのインストールおよび実行のためのファイルを複数の電子機器１１０、１２０、１３０、１４０に配布するサービスを第２サービスとして提供してよい。
【００３１】
図２は、本発明の一実施形態における、電子機器およびサーバの内部構成を説明するためのブロック図である。図２では、電子機器に対する例として電子機器１１０の内部構成およびサーバ１５０の内部構成について説明する。また、他の電子機器１２０、１３０、１４０やサーバ１６０も、上述した電子機器１１０またはサーバ１５０と同一または類似の内部構成を有してよい。
【００３２】
電子機器１１０およびサーバ１５０は、メモリ２１１、２２１、プロセッサ２１２、２２２、通信モジュール２１３、２２３、および入力／出力インタフェース２１４、２２４を含んでよい。メモリ２１１、２２１は、非一時的なコンピュータ読み取り可能な記録媒体であって、ＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）、ディスクドライブ、ＳＳＤ（ｓｏｌｉｄ  ｓｔａｔｅ  ｄｒｉｖｅ）、フラッシュメモリ（ｆｌａｓｈ  ｍｅｍｏｒｙ）などのような永続的大容量記録装置を含んでよい。ここで、ＲＯＭ、ＳＳＤ、フラッシュメモリ、ディスクドライブのような永続的大容量記録装置は、メモリ２１１、２２１とは区分される別の永続的記録装置として電子機器１１０やサーバ１５０に含まれてもよい。また、メモリ２１１、２２１には、オペレーティングシステムと、少なくとも１つのプログラムコード（一例として、電子機器１１０においてインストールされて実行されるブラウザや特定のサービスの提供のために電子機器１１０にインストールされるアプリケーションなどのためのコード）が記録されてよい。このようなソフトウェア構成要素は、メモリ２１１、２２１とは別のコンピュータ読み取り可能な記録媒体からロードされてよい。このような別のコンピュータ読み取り可能な記録媒体は、フロッピー（登録商標）ドライブ、ディスク、テープ、ＤＶＤ／ＣＤ−ＲＯＭドライブ、メモリカードなどのコンピュータ読み取り可能な記録媒体を含んでよい。他の実施形態において、ソフトウェア構成要素は、コンピュータ読み取り可能な記録媒体ではない通信モジュール２１３、２２３を通じてメモリ２１１、２２１にロードされてもよい。例えば、少なくとも１つのプログラムは、開発者またはアプリケーションのインストールファイルを配布するファイル配布システム（一例として、上述したサーバ１６０）がネットワーク１７０を介して提供するファイルによってインストールされるコンピュータプログラム（一例として、上述したアプリケーション）に基づいてメモリ２１１、２２１にロードされてよい。
【００３３】
プロセッサ２１２、２２２は、基本的な算術、ロジック、および入出力演算を実行することにより、コンピュータプログラムの命令を処理するように構成されてよい。命令は、メモリ２１１、２２１または通信モジュール２１３、２２３によって、プロセッサ２１２、２２２に提供されてよい。例えば、プロセッサ２１２、２２２は、メモリ２１１、２２１のような記録装置に記録されたプログラムコードにしたがって受信される命令を実行するように構成されてよい。
【００３４】
通信モジュール２１３、２２３は、ネットワーク１７０を介して電子機器１１０とサーバ１５０とが互いに通信するための機能を提供してもよいし、電子機器１１０および／またはサーバ１５０が他の電子機器（一例として、電子機器１２０）または他のサーバ（一例として、サーバ１６０）と通信するための機能を提供してもよい。一例として、電子機器１１０のプロセッサ２１２がメモリ２１１のような記録装置に記録されたプログラムコードにしたがって生成した要求が、通信モジュール２１３の制御にしたがってネットワーク１７０を介してサーバ１５０に伝達されてよい。これとは逆に、サーバ１５０のプロセッサ２２２の制御にしたがって提供される制御信号や命令、コンテンツ、ファイルなどが、通信モジュール２２３とネットワーク１７０を経て電子機器１１０の通信モジュール２１３を通じて電子機器１１０に受信されてよい。例えば、通信モジュール２１３を通じて受信されたサーバ１５０の制御信号や命令、コンテンツ、ファイルなどは、プロセッサ２１２やメモリ２１１に伝達されてよく、コンテンツやファイルなどは、電子機器１１０がさらに含むことのできる記録媒体（上述した永続的記録装置）に記録されてよい。
【００３５】
入力／出力インタフェース２１４は、入力／出力装置２１５とのインタフェースのための手段であってよい。例えば、入力装置は、キーボード、マウス、マイクロフォン、カメラなどの装置を、出力装置は、ディスプレイ、スピーカ、触覚フィードバックデバイスなどのような装置を含んでよい。他の例として、入力／出力インタフェース２１４は、タッチスクリーンのように入力と出力のための機能が１つに統合された装置とのインタフェースのための手段であってもよい。入力／出力装置２１５は、電子機器１１０と１つの装置で構成されてもよい。また、サーバ１５０の入力／出力インタフェース２２４は、サーバ１５０に接続するかサーバ１５０が含むことのできる入力または出力のための装置（図示せず）とのインタフェースのための手段であってよい。より具体的な例として、電子機器１１０のプロセッサ２１２がメモリ２１１にロードされたコンピュータプログラムの命令を処理するにあたり、サーバ１５０や電子機器１２０が提供するデータを利用して構成されるサービス画面やコンテンツが、入力／出力インタフェース２１４を通じてディスプレイに表示されてよい。
【００３６】
また、他の実施形態において、電子機器１１０およびサーバ１５０は、図２の構成要素よりも多くの構成要素を含んでもよい。しかし、大部分の従来技術的構成要素を明確に図に示す必要はない。例えば、電子機器１１０は、上述した入力／出力装置２１５のうちの少なくとも一部を含むように実現されてもよいし、トランシーバ、ＧＰＳ（Ｇｌｏｂａｌ  Ｐｏｓｉｔｉｏｎｉｎｇ  Ｓｙｓｔｅｍ）モジュール、カメラ、各種センサ、データベースなどのような他の構成要素をさらに含んでもよい。より具体的な例として、電子機器１１０がスマートフォンである場合、一般的にスマートフォンが含んでいる加速度センサやジャイロセンサ、カメラモジュール、物理的な各種ボタン、タッチパネルを利用したボタン、入力／出力ポート、振動のための振動器などのような多様な構成要素が、電子機器１１０にさらに含まれるように実現されてよい。
【００３７】
図３は、本発明の一実施形態における、メッセンジャーを利用した送金処理システムを示した図である。
【００３８】
本発明の一実施形態に係る送金処理システムは、複数のユーザ端末、すなわち、複数の電子機器１１０、１２０、１３０を対象にインスタントメッセージサービスを提供するサーバ１５０（以下、「ＩＭＳサーバ」と称する）、およびＩＭＳサーバ１５０と連動して送金サービスを提供するサーバ１６０（以下、「送金サーバ」と称する）を含んでよい。
【００３９】
複数のユーザ端末１１０、１２０、１３０は、スマートフォンやタブレットなどのようなモバイルコンピュータ装置またはＰＣを含んでよい。
【００４０】
複数のユーザ端末１１０、１２０、１３０それぞれにはインスタントメッセンジャーアプリケーションがインストールされてよく、複数のユーザ端末１１０、１２０、１３０はＩＭＳサーバ１５０と通信してよい。ユーザは、インスタントメッセンジャーアプリケーションを利用してソーシャル関係を形成してよく、リアルタイムでインスタントメッセージを送信／受信してよい。ここで、ソーシャル関係は、ユーザそれぞれの友だちリスト（バディリスト）で表現されてよく、複数のユーザ端末１１０、１２０、１３０は、それぞれの友だちリストおよびチャットルームに関する情報を同期化するためにＩＭＳサーバ１５０と通信してよい。
【００４１】
ユーザは、インスタントメッセージサービスの提供を受けるとともに、送金処理を実行するためにインスタントメッセンジャーアプリケーションに搭載された送金機能を活用してよい。例えば、ユーザは、インスタントメッセージサービスによって形成された友だちリストに含まれた相手に送金したり、または相手に送金を要請したりしてよい。このようなユーザの送金トランザクションは多様な状況で発生するようになるが、本発明の実施形態では、少なくとも以下の２つの送金トランザクションを支援する。
【００４２】
ユーザの送金トランザクションの例：ユーザが希望する金額を少なくとも１人の相手に伝達する送金トランザクション、またはユーザが希望する金額を少なくとも１人の相手に要請する送金要請トランザクション
【００４３】
また、ユーザがインスタントメッセージサービスの提供を受けるとともに、送金処理を実行するために、インスタントメッセージサービスに対するアカウントと送金アカウントは互いにマッピングされる。すなわち、ＩＭＳサーバ１５０は、ユーザそれぞれのインスタントメッセージサービスに対するアカウントを格納し、送金サーバ１６０は、ユーザそれぞれの送金アカウントを格納する。このとき、インスタントメッセージサービスに対するアカウントと送金アカウントは、互いにマッピングされたまま保持される。
【００４４】
図４は、ユーザ端末同士の送金処理過程を説明するための例示図である。
【００４５】
図４を参照すると、ユーザ端末Ａ（１１０）は、ＩＭＳで友だちリストに含まれたユーザ端末Ｂ（１２０）と送金トランザクションを実行してよい。例えば、ユーザ端末Ａ（１１０）は、自身の送金アカウントに登録された価値（ｖａｌｕｅ）内で、希望する金額をユーザ端末Ｂ（１２０）に振り込んでよい。一例として、ユーザ端末Ａ（１１０）の送金アカウントに登録された価値（ｖａｌｕｅ）の一部または全部は、外部金融機関１（４０１）および外部金融機関２（４０２）を経ずにユーザ端末Ｂ（１２０）に伝達されてよい。すなわち、ユーザ端末Ａ（１１０）の送金アカウントに登録された価値の一部または全部がユーザ端末Ｂ（１２０）に伝達されることに応答し、送金処理システム（図３に示されたＩＭＳサーバ１５０および送金サーバ１６０を含む）は、ユーザ端末Ｂ（１２０）の送金アカウントをアップデートする。ユーザ端末Ｂ（１２０）がユーザ端末Ａ（１１０）から伝達された価値を実際の貨幣に交換しようとする場合にも、外部金融機関１（４０１）および外部金融機関２（４０２）との相互作用は発生しなくてよい。より具体的に、送金処理システムは、ユーザ端末Ｂ（１２０）と同じように、ユーザ端末Ｂ（１２０）の銀行口座が登録された外部金融機関２（４０２）の銀行口座を所有しており、ユーザ端末Ｂ（１２０）がユーザ端末Ａ（１１０）から伝達された価値を実際の貨幣に交換しようとする場合、送金処理システムの銀行口座からユーザ端末Ｂ（１２０）の銀行口座に実際の貨幣が伝達される。このような過程により、外部金融機関１（４０１）および外部金融機関２（４０２）との直接的な相互作用がなくても、ユーザ端末Ａ（１１０）からユーザ端末Ｂ（１２０）に伝達された価値が実際の貨幣としてユーザ端末Ｂ（１２０）に提供されるようになる。
【００４６】
また、ユーザ端末Ａ（１１０）は、希望する金額の振込みをユーザ端末Ｂ（１１０）に要請してもよい。これだけでなく、ユーザ端末Ａ、Ｂ（１１０、１２０）は、外部金融機関４０１、４０２を利用して送金アカウントに登録された価値を増加させるために資金を預金してもよく、送金アカウントに登録された価値を、外部金融機関４０１、４０２を利用して実際の貨幣に交換してもよい。
【００４７】
また、ユーザ端末Ａ、Ｂ（１１０、１２０）は、オンライン販売者やオフライン販売者（図示せず）に対し、送金アカウントを利用して決済手続きを実行してもよい。このとき、送金アカウントは、ユーザ端末Ａ、Ｂ（１１０、１２０）によって登録された銀行口座やクレジットカードと連結していてよく、決済が完了すれば、外部金融機関４０１、４０２によって精算手続きが実行される。
【００４８】
また、ユーザ端末Ａ（１１０）とユーザ端末Ｂ（１２０）は、政策的に許容される範囲内または送金アカウントによって登録された価値内での送金や送金要請のような送金トランザクションを実行してよい。このとき、送金アカウントを所持するユーザ端末同士では、外部金融機関４０１、４０２とは独立的に、送金サーバ１６０を含む送金プラットホーム内で価値の伝達が完成する。例えば、ユーザ端末Ａ（１１０）が送金アカウントに登録された１ドルをユーザ端末Ｂ（１２０）に送金した場合、ユーザ端末Ａ（１１０）の外部金融機関１（４０１）からユーザ端末Ｂ（１２０）の外部金融機関２（４０２）に資金が伝達されるのではなく、ユーザ端末Ａ（１１０）の送金アカウントからユーザ端末Ｂ（１２０）の送金アカウントに１ドルの価値が直接伝達されてよい。
【００４９】
特に、本発明では、メッセンジャーのチャットルームで会話をしながら、即時に送金できる利便機能を提供することが可能である。以下では、メッセンジャーでメッセージ内容を認識して送金機能を自動提供する方法およびシステムの具体的な実施形態について説明する。
【００５０】
図５は、本発明の一実施形態における、電子機器のプロセッサが含むことのできる構成要素の例を示したブロック図であり、図６は、本発明の一実施形態における、電子機器が実行することのできる方法の例を示したフローチャートである。
【００５１】
本実施形態に係る電子機器１１０には、コンピュータが実現する送金処理システムが構成されてよい。一例として、送金処理システムは、インスタントメッセンジャーアプリケーションのイン−アプリ（ｉｎ−ａｐｐ）形態で構成されて前記メッセンジャー上で動作が可能なように実現されてよく、場合によっては、サーバ１５０、１６０との連動によってメッセンジャーを利用した送金サービスが提供されてよい。
【００５２】
電子機器１１０にインストールされたアプリケーションが提供する命令に基づき、電子機器１１０が実現する送金処理システムは、送金処理方法を実行してよい。図６に係る送金処理方法を実行するために、電子機器１１０のプロセッサ２１２は、構成要素として、図５に示すように、認識部５１０、呼び出し部５２０、および送金処理部５３０を備えてよい。実施形態によって、プロセッサ２１２の構成要素は、選択的にプロセッサ２１２に含まれても除外されてもよい。また、実施形態によって、プロセッサ２１２の構成要素は、プロセッサ２１２の機能の表現のために分離されても併合されてもよい。
【００５３】
このようなプロセッサ２１２およびプロセッサ２１２の構成要素は、図６の送金処理方法が含む段階６１０〜６４０を実行するように電子機器１１０を制御してよい。例えば、プロセッサ２１２およびプロセッサ２１２の構成要素は、メモリ２１１が含むオペレーティングシステムのコードと少なくとも１つのプログラムのコードとによる命令を実行するように実現されてよい。
【００５４】
ここで、プロセッサ２１２の構成要素は、電子機器１１０に格納されたプログラムコードが提供する命令（一例として、電子機器１１０が実行するアプリケーションが提供する命令）にしたがってプロセッサ２１２によって実行される、プロセッサ２１２の互いに異なる機能の表現であってよい。例えば、電子機器１１０がメッセンジャーのチャットルームに入力されたメッセージ内容を認識するように上述した命令にしたがって電子機器１１０を制御するプロセッサ２１２の機能的表現として、認識部５１０が利用されてよい。
【００５５】
段階６１０で、プロセッサ２１２は、電子機器１１０の制御と関連する命令がロードされたメモリ２１１から必要な命令を読み取ってよい。この場合、前記読み取られた命令は、以下で説明される段階６２０〜６４０をプロセッサ２１２が実行するように制御するための命令を含んでよい。
【００５６】
段階６２０で、認識部５１０は、電子機器１１０が実行するメッセンジャーのチャットルームに入力中のメッセージ内容から送金のための金額を認識してよい。一例として、認識部５１０は、チャットルームの入力ウィンドウに該当のチャットルームに送るメッセージが入力されるとき、入力中のメッセージ内容の文脈を把握することにより、入力ウィンドウにメッセージとして作成中の金額を認識してよい。他の例として、認識部５１０は、チャットルームの入力ウィンドウに該当のチャットルームに送るメッセージが入力されるとき、貨幣単位を示す特定の記号やキーワード（例えば、ウォン、￥、ＫＲＷ、ドル、＄、ＵＳＤなど）を認識することにより、入力ウィンドウにメッセージとして作成中の金額を認識してよい。
【００５７】
段階６３０で、呼び出し部５２０は、メッセージ内容から金額が認識されると、該当のチャットルームに送金機能を直ぐに呼び出してよい。呼び出し部５２０は、チャットルームの入力ウィンドウに金額が作成されると、該当のチャットルームで直ぐに送金機能を利用できるように、送金機能のユーザインタフェース（ＵＩ）を呼び出してよい。言い換えれば、呼び出し部５２０は、入力中のキーワードに対応して絵文字の一種であるスタンプや自動補完などを推測する機能と同じように、チャットルームの入力ウィンドウで作成中のメッセージが金額に該当する場合には送金機能を直ぐに活性化させてよい。
【００５８】
段階６４０で、送金処理部５３０は、電子機器１１０のユーザの送金要請にしたがい、チャットルームに含まれた会話相手のうちから少なくとも１人を対象とし、メッセージ内容から認識された金額に対応する送金トランザクションを処理してよい。一例として、送金処理部５３０は、送金ＵＩによるユーザの送金要請にしたがい、チャットルームに含まれた会話相手を送金対象者として自動特定し、段階６２０で認識された金額に対する送金トランザクションまたは送金要請トランザクションを処理してよい。他の例として、送金処理部５３０は、送金ＵＩで提供されるチャットルームの会話相手リストのうち、ユーザによって少なくとも１人の送金対象者が選択され、選択された送金対象者に、段階６２０で認識された金額に対する送金トランザクションまたは送金要請トランザクションを処理してよい。
【００５９】
したがって、本発明に係る送金処理システムおよび送金処理方法は、メッセンジャーのチャットルームに送るメッセージを入力するときにメッセージ内容に金額が含まれている場合、送金機能を直ぐに利用することができ、利便性を提供することができる。
【００６０】
図７〜９は、本発明の一実施形態における、送金処理過程の一例を説明するための例示図である。
【００６１】
図７は、電子機器１１０を含んだ１０人のユーザが参加しているメッセンジャーチャットルーム７００を示している。このとき、メッセンジャーチャットルーム７００は、電子機器１１０、例えば、スマートフォンに表示される画面であってよい。
【００６２】
図７を参照すると、電子機器１１０のプロセッサ２１２は、ユーザがメッセンジャーチャットルーム７００のメッセージ入力ウィンドウ７０１に金額を入力した場合、これを認識し、直ぐに送金機能を利用できるように送金ＵＩを自動で呼び出す。このとき、送金ＵＩは、メッセンジャーチャットルーム７００に含まれた会話相手のうちから少なくとも１人を送金対象者として選択するための会話相手リスト７１０、送金対象者に送金をするトランザクションのための「送金する」ＵＩ７２０、送金対象者に送金要請トランザクションのための「送金要請」ＵＩ７３０などを含んでよい。
【００６３】
このとき、メッセンジャーチャットルーム７００が、少なくとも３人以上が含まれたグループチャットルームの場合には会話相手リスト７１０を提供し、１対１のチャットルームの場合には会話相手リスト７１０は省略してよい。また、ユーザが会話相手リスト７１０から少なくとも１人以上を選択した場合には選択された会話相手を送金対象者として特定し、選択されなかった場合には会話相手リスト７１０に含まれた全体を送金対象者として特定してよい。
【００６４】
電子機器１１０のプロセッサ２１２は、ユーザがメッセージ入力ウィンドウ７０１に入力するテキストから金額が認識されると、チャットルーム内の会話相手に送金するか送金要請することが可能な機能を直ぐに提供してよく、メッセージ入力ウィンドウ７０１にテキストが追加入力されると、送金のニーズがないものと判断し、送金機能に連結するフローを終了するとともに送金ＵＩは隠し処理する。
【００６５】
電子機器１１０のプロセッサ２１２は、ユーザが会話相手リスト７１０から少なくとも１人以上を選択して「送金する」ＵＩ７２０を入力した場合、図８に示すように、送金情報確認のための送金確認画面８２０を提供してよい。送金確認画面８２０は、金額や送金対象者などを確認あるいは修正するためのユーザインタフェースで構成されるものであって、お金を受け取る人として特定された送金対象者リスト８０１、送金対象者を追加するための「追加」ＵＩ８０２、送金金額を確認するか新たに入力するための金額入力ウィンドウ８０３、金額入力ウィンドウ８０３に入力された金額を送金対象者リスト８０１に含まれた人数で割って処理するための分割ＵＩ８０４などを含んでよい。
【００６６】
送金対象者リスト８０１は、会話相手リスト７１０から選択された送金対象者で構成され、個別に削除可能なＵＩを含んでよい。「追加」ＵＩ８０２を入力する場合、メッセンジャーチャットルーム７００に含まれた会話相手リスト７１０に再びアクセスして送金対象者を追加したり修正したりできる。金額入力ウィンドウ８０３には、メッセンジャーチャットルーム７００のメッセージ入力ウィンドウ７０１に入力された金額がそのまま入力されてよく、修正や新たに入力可能なＵＩを含んでよい。
【００６７】
電子機器１１０のプロセッサ２１２は、ユーザが送金確認画面８２０で「送金する」ＵＩ８０５を入力すると、送金対象者リスト８０１に含まれた送金対象者に、金額入力ウィンドウ８０３に入力された金額に対する送金トランザクションを処理してよい。電子機器１１０のプロセッサ２１２は、お金を受け取る人に送金トランザクションによる送金メッセージを発送してよく、このとき、送金メッセージは、送金対象者それぞれの個別チャットルーム８００−１、８００−２に表示されてよい。この他にも、メッセンジャーチャットルーム７００がグループチャットルームの場合、送金メッセージはグループチャットルームに表示されてよく、グループチャットルームであったとしても、送金メッセージが電子機器１１０のユーザと送金対象者だけに伝達されて表示されるようにすることも可能である。
【００６８】
また、電子機器１１０のプロセッサ２１２は、ユーザが図７の会話相手リスト７１０から少なくとも１人以上を選択して「送金要請」ＵＩ７３０を入力した場合、図９に示すように、送金情報確認のための送金確認画面９３０を提供してよい。送金確認画面９３０は、金額や送金対象者などを確認あるいは修正をするためのユーザインタフェースで構成されるものであって、お金を要請する人として特定された送金対象者リスト９０１、送金対象者を追加するための「追加」ＵＩ９０２、要請する金額を確認するか新たに入力するための金額入力ウィンドウ９０３、金額入力ウィンドウ９０３に入力された金額を送金対象者リスト９０１に含まれた人数で割って処理するための分割ＵＩ９０４などを含んでよい。
【００６９】
同じように、送金対象者リスト９０１は、会話相手リスト７１０から選択された送金対象者で構成され、個別に削除可能なＵＩを含んでよい。「追加」ＵＩ９０２を入力する場合、メッセンジャーチャットルーム７００に含まれた会話相手リスト７１０に再びアクセスして送金対象者を追加したり修正したりできる。金額入力ウィンドウ９０３には、メッセンジャーチャットルーム７００のメッセージ入力ウィンドウ７０１に入力された金額がそのまま入力されてよく、修正や新たに入力可能なＵＩを含んでよい。
【００７０】
電子機器１１０のプロセッサ２１２は、ユーザが送金確認画面９３０で「送金要請」ＵＩ９０５を入力すると、送金対象者リスト９０１に含まれた送金対象者に、金額入力ウィンドウ９０３に入力された金額に対する送金要請トランザクションを処理してよい。電子機器１１０のプロセッサ２１２は、お金を要請する人に送金要請トランザクションによる送金メッセージを発送してよく、このとき、送金メッセージは、送金対象者それぞれの個別チャットルーム９００−１、９００−２に表示されてよい。この他にも、メッセンジャーチャットルーム７００がグループチャットルームの場合、送金メッセージがグループチャットルームに表示されてもよく、グループチャットルームであったとしても、送金メッセージが電子機器１１０のユーザと送金対象者だけに伝達されて表示されるようにすることも可能である。
【００７１】
従来には、メッセンジャーで会話をしている途中に会話相手に送金ニーズが生じた場合、該当のチャットルームから退出した後に送金機能を別途で実行させ、会話相手を検索して送金対象者として設定し、金額を直接入力した後に送金するという方式のように、会話中の送金のためには多くの段階を経なければならなかった。
【００７２】
ところが、本発明では、入力中のキーワードに対してスタンプ推薦機能や自動補完機能を提供するのと同じように、チャットルームのメッセージ入力ウィンドウに金額が入力されると送金機能を直ぐに実行させ、このときの会話相手を送金対象者として自動特定し、金額もメッセージ入力ウィンドウに入力された金額が自動入力されることにより、送金処理のための段階を短縮させることができる。
【００７３】
図１０は、本発明の一実施形態における、電子機器が実行することのできる方法の他の例を示したフローチャートである。
【００７４】
段階１０１０で、プロセッサ２１２は、電子機器１１０の制御と関連する命令がロードされたメモリ２１１から必要な命令を読み取ってよい。この場合、前記読み取られた命令は、以下で説明される段階１０２０〜１０４０をプロセッサ２１２が実行するように制御するための命令を含んでよい。
【００７５】
段階１０２０で、認識部５１０は、電子機器１１０が実行するメッセンジャーのチャットルームに含まれたメッセージのうち、電子機器１１０のユーザから数字が含まれたメッセージが選択されると、該当の数字を送金のための金額として認識してよい。認識部５１０は、メッセンジャーのチャットルームでやり取りする会話メッセージに数字が含まれる場合、該当の数字にリンクを適用し、リンクが適用された数字を金額として認識してよい。
【００７６】
段階１０３０で、呼び出し部５２０は、電子機器１１０のユーザが選択したメッセージから金額が認識されると、該当のチャットルームに直ぐに送金機能を呼び出してよい。呼び出し部５２０は、メッセンジャーのチャットルームでやり取りした会話メッセージのうち、電子機器１１０のユーザが特定のメッセージを選択することに応答し、選択されたメッセージに数字が含まれている場合、該当のチャットルームで送金機能を直ぐに利用できるように送金機能のユーザインタフェース（ＵＩ）を呼び出してよい。
【００７７】
段階１０４０で、送金処理部５３０は、電子機器１１０のユーザの送金要請にしたがい、電子機器１１０のユーザが選択したメッセージを送った会話相手（メッセージ発送者）を送金対象者とし、該当のメッセージから認識された金額に対応する送金トランザクションを処理してよい。言い換えれば、送金処理部５３０は、数字が含まれた会話メッセージを送信した会話相手を送金対象者とし、該当の会話メッセージに含まれた数字を金額として送金トランザクションを処理できるようになる。
【００７８】
したがって、本発明に係る送金処理システムおよび送金処理方法は、メッセンジャーのチャットルームでやり取りした会話内容の数字を金額として見なして送金機能を直ぐに利用することができ、利便性を提供することができる。
【００７９】
上述では、数字が含まれたメッセージに対し、該当のメッセージを選択することに応答して送金機能を直ぐに実行させることを説明しているが、これに限定されることはなく、数字の有無とは関係なく、メッセージを選択することに応答して無条件に送金機能を実行させることも可能である。このとき、選択されたメッセージの発送者を送金対象者として自動特定し、ユーザから金額入力を受けて送金トランザクションを処理してよい。
【００８０】
図１１および図１２は、本発明の一実施形態における、送金処理過程の他の例を説明するための例示図である。
【００８１】
図１１は、電子機器１１０を含んだ１０人のユーザが参加しているメッセンジャーチャットルーム１１００を示している。このとき、メッセンジャーチャットルーム１１００は、電子機器１１０、例えば、スマートフォンに表示される画面であってよい。
【００８２】
図１１を参照すると、電子機器１１０のプロセッサ２１２は、ユーザがメッセンジャーチャットルーム１１００に含まれたメッセージのうちから数字１１０１の含まれたメッセージ１１１０を選択した場合、メッセージ１１１０から数字１１０１を認識して送金機能を直ぐに実行させてよい。
【００８３】
一例として、図１２に示すように、電子機器１１０のプロセッサ２１２は、ユーザがメッセンジャーチャットルーム１１００から数字１１０１の含まれたメッセージ１１１０を選択した場合、送金機能を直ぐに実行させ、送金情報確認のための送金確認画面１２４０を提供してよい。
【００８４】
送金確認画面１２４０は、金額と送金対象者を確認するためのユーザインタフェースで構成されるものであって、送金対象者に関する情報１２０１、送金金額を確認するか新たに入力するための金額入力ウィンドウ１２０３などを含んでよい。このとき、送金対象者に関する情報１２０１には、メッセージ１１１０を送信した会話相手に関する情報が自動入力され、金額入力ウィンドウ１２０３には、メッセージ１１１０に含まれた数字が金額としてそのまま入力されてよく、修正や新たに入力可能なＵＩを含んでよい。
【００８５】
電子機器１１０のプロセッサ２１２は、ユーザが送金確認画面１２４０で「送金する」ＵＩ１２０５を入力すると、メッセージ１１１０を送った会話相手を送金対象者とし、金額入力ウィンドウ１２０３に入力された金額に対する送金トランザクションを処理してよい。電子機器１１０のプロセッサ２１２は、お金を受け取る人に送金トランザクションによる送金メッセージを発送してよく、このとき、送金メッセージは、送金対象者との個別チャットルーム１２００に表示されてよい。この他にも、メッセンジャーチャットルーム１１００がグループチャットルームの場合、送金メッセージがグループチャットルームに表示されてもよいし、グループチャットルームであったとしても、送金メッセージが電子機器１１０のユーザと送金対象者だけに伝達されて表示されるようにすることも可能である。
【００８６】
従来には、相手から受け取った会話メッセージに金額に対する送金要請がある場合、該当のチャットルームから退出した後に送金機能を別途で実行させ、送金要請をした相手を検索して送金対象者として選択し、相手が要請した金額を直接入力した後に送金するという方式のように、会話の途中に送金するためには多くの段階を経なければならなかった。
【００８７】
本発明では、相手から受け取った会話メッセージに含まれた数字を金額として見なし、該当のメッセージが選択されたときには送金機能を直ぐに実行させ、このときの相手を送金対象者として自動特定し、金額もメッセージに含まれた数字を金額として自動入力することにより、送金処理のための段階を短縮させることができる。
【００８８】
上述した装置は、ハードウェア構成要素、ソフトウェア構成要素、および／またはハードウェア構成要素とソフトウェア構成要素との組み合わせによって実現されてよい。例えば、実施形態で説明された装置および構成要素は、プロセッサ、コントローラ、ＡＬＵ（ａｒｉｔｈｍｅｔｉｃ  ｌｏｇｉｃ  ｕｎｉｔ）、デジタル信号プロセッサ、マイクロコンピュータ、ＦＰＧＡ（ｆｉｅｌｄ  ｐｒｏｇｒａｍｍａｂｌｅ  ｇａｔｅ  ａｒｒａｙ）、ＰＬＵ（ｐｒｏｇｒａｍｍａｂｌｅ  ｌｏｇｉｃ  ｕｎｉｔ）、マイクロプロセッサ、または命令を実行して応答することができる様々な装置のように、１つ以上の汎用コンピュータまたは特殊目的コンピュータを利用して実現されてよい。処理装置は、オペレーティングシステム（ＯＳ）およびＯＳ上で実行される１つ以上のソフトウェアアプリケーションを実行してよい。また、処理装置は、ソフトウェアの実行に応答し、データにアクセスし、データを記録、操作、処理、および生成してもよい。理解の便宜のために、１つの処理装置が使用されるとして説明される場合もあるが、当業者は、処理装置が複数個の処理要素および／または複数種類の処理要素を含んでもよいことが理解できるであろう。例えば、処理装置は、複数個のプロセッサまたは１つのプロセッサおよび１つのコントローラを含んでよい。また、並列プロセッサのような、他の処理構成も可能である。
【００８９】
ソフトウェアは、コンピュータプログラム、コード、命令、またはこれらのうちの１つ以上の組み合わせを含んでもよく、思うままに動作するように処理装置を構成したり、独立的または集合的に処理装置に命令したりしてよい。ソフトウェアおよび／またはデータは、処理装置に基づいて解釈されたり、処理装置に命令またはデータを提供したりするために、いかなる種類の機械、コンポーネント、物理装置、コンピュータ記録媒体または装置に具現化されてよい。ソフトウェアは、ネットワークによって接続されたコンピュータシステム上に分散され、分散された状態で記録されても実行されてもよい。ソフトウェアおよびデータは、１つ以上のコンピュータ読み取り可能な記録媒体に記録されてよい。
【００９０】
実施形態に係る方法は、多様なコンピュータ手段によって実行可能なプログラム命令の形態で実現されてコンピュータ読み取り可能な媒体に記録されてよい。ここで、媒体は、コンピュータ実行可能なプログラムを継続して記録するものであっても、実行またはダウンロードのために一時記録するものであってもよい。また、媒体は、単一または複数のハードウェアが結合した形態の多様な記録手段または格納手段であってよく、あるコンピュータシステムに直接接続する媒体に限定されることはなく、ネットワーク上に分散して存在するものであってもよい。媒体の例は、ハードディスク、フロッピー（登録商標）ディスク、および磁気テープのような磁気媒体、ＣＤ−ＲＯＭおよびＤＶＤのような光媒体、フロプティカルディスクのような光磁気媒体、およびＲＯＭ、ＲＡＭ、フラッシュメモリなどを含み、プログラム命令が記録されるように構成されたものであってよい。また、媒体の他の例として、アプリケーションを配布するアプリケーションストアやその他の多様なソフトウェアを供給または配布するサイト、サーバなどで管理する記録媒体または格納媒体が挙げられる。
【００９１】
以上のように、実施形態を、限定された実施形態および図面に基づいて説明したが、当業者であれば、上述した記載から多様な修正および変形が可能であろう。例えば、説明された技術が、説明された方法とは異なる順序で実行されたり、かつ／あるいは、説明されたシステム、構造、装置、回路などの構成要素が、説明された方法とは異なる形態で結合されたりまたは組み合わされたり、他の構成要素または均等物によって対置されたり置換されたとしても、適切な結果を達成することができる。
【００９２】
したがって、異なる実施形態であっても、特許請求の範囲と均等なものであれば、添付される特許請求の範囲に属する。
【符号の説明】
【００９３】
１１０：ユーザ端末Ａ
１２０：ユーザ端末Ｂ
１３０：ユーザ端末Ｃ
１５０：ＩＭＳサーバ
１６０：送金サーバ
【図１】
2019185767.tif 000003
【図２】
2019185767.tif 000004
【図３】
2019185767.tif 000005
【図４】
2019185767.tif 000006
【図５】
2019185767.tif 000007
【図６】
2019185767.tif 000008
【図７】
2019185767.tif 000009
【図８】
2019185767.tif 000010
【図９】
2019185767.tif 000011
【図１０】
2019185767.tif 000012
【図１１】
2019185767.tif 000013
【図１２】
2019185767.tif 000014